(57)【要約】  【課題】近年、携帯電話に代表される携帯通信端末で楽曲や動画が再生可能となっているが、一方で携帯性がますます重視されているため、カラオケ楽曲のように大勢で楽しみたいデジタルコンテンツの再生には不都合が生じる。また、デジタル技術の進歩にともない、デジタルテレビ等の家電製品はネットワークへの接続機能が搭載されているが、それらの電子機器をネットワークへ接続するにはネットワークケーブルを曳いたり設定を行うなど、時間や費用がかかってしまう。  【解決手段】本発明では、コンテンツサービスプロバイダへの通信機能を有する携帯通信端末から、コンテンツ再生機能を備えるがコンテンツサービスプロバイダへの通信機能を有しないコンテンツ利用装置に対してコンテンツを転送することで、コンテンツ利用装置で、コンテンツをネットワークから取得し再生することを可能とした。【選択図】  図１
2004310124.tif 000002
【特許請求の範囲】
【請求項１】
携帯通信端末と、コンテンツ利用装置とからなるコンテンツ利用システムであって、
前記携帯通信端末は、
コンテンツの受信に応じて課金をするための処理をする課金処理部と、
コンテンツを受信する第一コンテンツ受信部と、
前記第一コンテンツ受信部で受信したコンテンツを転送するコンテンツ転送部と、
前記第一コンテンツ受信部で受信したコンテンツを直接的に記録することはできないブリッジメディア記録保持部と、
を有し、
前記コンテンツ利用装置は、
前記携帯通信端末から転送されるコンテンツを受信する転送コンテンツ受信部と、
転送コンテンツ受信部で受信したコンテンツを直接的に記録保持可能なブリッジメディア保持部と、
を有するコンテンツ利用システム。
【請求項２】
前記携帯通信端末の課金処理部は、
自身の通信契約に関する課金のための識別情報を保持する課金識別情報保持手段を有し、
前記課金識別情報保持手段に保持された識別情報を利用して前記課金のための処理を行う請求項１に記載のコンテンツ利用システム。
【請求項３】
前記携帯通信端末は、コンテンツを受信するための第二コンテンツ受信部を有し、
前記携帯通信端末のブリッジメディア記録保持部は、前記第二コンテンツ受信部にて受信したコンテンツを直接的に記録することができる請求項１又は２に記載のコンテンツ利用システム。
【請求項４】
携帯通信端末と、電子機器と、からなるコンテンツ利用システムであって、
前記携帯通信端末は、
コンテンツの受信に応じて課金をするための処理をする課金処理部と、
コンテンツを受信するコンテンツ受信部と、
前記コンテンツ受信部で受信したコンテンツを転送するコンテンツ転送部と、
前記コンテンツ転送部から転送され再転送されてくるコンテンツを受信するための再転送コンテンツ受信部と、
前記コンテンツ受信部で受信したコンテンツを直接的に記録不可能であるが、再転送コンテンツ受信部で受信したコンテンツは直接的に記録可能な第２ブリッジメディア記録保持部と、
を有し、
前記電子機器は、
前記携帯通信端末のコンテンツ転送部から転送されるコンテンツを受信する転送コンテンツ受信部と、
前記転送コンテンツ受信部で受信した転送コンテンツを再転送する転送コンテンツ再転送部と、
を有するコンテンツ利用システム。
【請求項５】
前記電子機器は、転送コンテンツ受信部で受信したコンテンツをブリッジメディアに記録する機能を有していない請求項４に記載のコンテンツ利用システム。
【請求項６】
前記携帯通信端末の課金処理部は、
自身の通信契約に関する課金のための識別情報を保持する課金識別情報保持手段を有し、
前記課金識別情報保持手段に保持された識別情報を利用して前記課金のための処理を行う請求項４又は５に記載のコンテンツ利用システム。
【請求項７】
携帯通信端末と、電子機器と、コンテンツ利用装置と、からなるコンテンツ利用システムであって、
前記携帯通信端末は、
コンテンツの受信に応じて課金をするための処理をする課金処理部と、
コンテンツを受信するコンテンツ受信部と、
前記コンテンツ受信部で受信したコンテンツを転送するコンテンツ転送部と、
を有し、
前記電子機器は、
前記携帯通信端末のコンテンツ転送部から転送されるコンテンツを受信する転送コンテンツ受信部と、
前記転送コンテンツ受信部で受信したコンテンツを直接的に記録保持可能な第３ブリッジメディア記録保持部と、
を有し、
前記コンテンツ利用装置は、
前記電子機器の第３ブリッジメディア記録保持部にて前記直接的な記録がされたコンテンツを保持したブリッジメディアを保持するための利用ブリッジメディア保持部と、
前記利用ブリッジメディア保持部にて保持されたブリッジメディアに保持されている前記コンテンツを利用するためのコンテンツ利用部と、
を有するコンテンツ利用システム。
【請求項８】
前記携帯通信端末の課金処理部は、
自身の通信契約に関する課金のための識別情報を保持する課金識別情報保持手段を有し、
前記課金識別情報保持手段に保持された識別情報を利用して前記課金のための処理を行う請求項７に記載のコンテンツ利用システム。
【発明の詳細な説明】
【技術分野】
【０００１】
本発明は、コンテンツデータを利用するコンテンツ利用システムに関するものである。
【０００２】
なお、本明細書において「コンテンツ」とは、無線（ＴＶ電波等）または有線（インターネット等）を経由して発信者から利用者のもとに届けられ、文章、音声、楽曲、静止画、動画、データ、プログラム等、またはそれらの複合形で表現される情報と定義する。
【背景技術】
【０００３】
近年、携帯電話に代表される小型の携帯通信端末で楽曲や動画が再生可能となりつつある。このような携帯通信端末では、小型軽量化により記憶容量が制約されるため、録音された音楽を圧縮記録する技術が進歩する一方、携帯電話の着信メロディで利用されるＭＩＤＩ等、音源を搭載しデータのサイズをコンパクトにする手法を採用する端末も多い。ＭＩＤＩは業務用カラオケでも利用されている技術で、携帯電話でもＭＩＤＩを採用することでカラオケが実現されつつある。
【０００４】
一方、デジタル技術の進歩にともない、家電機器、特にオーディオ・ビデオ機器は、インターネットを利用し、本来の用途以外の様々な機能をソフトウェアで実現するようになってきている。たとえばデジタルテレビでは、本来放送映像を見る機能以外に、ＷＷＷ（Ｗｏｒｌｄ Ｗｉｄｅ Ｗｅｂ）のブラウジング機能を搭載しさらにはカラオケデータをダウンロードしカラオケを楽しめるものもある。
【０００５】
従来のカラオケ再生機能の付いた携帯電話とデジタルテレビに関する技術は、モバイル環境でカラオケを楽しむ場合に、装置間の連携機能のない携帯電話とカラオケ楽曲データ再生装置を別々の操作体系に基づき操作しなければならなかった不便を解決するための技術である（例えば特許文献１参照。）。また、リビング環境でカラオケを楽しむ場合に、装置間の連携機能のないデジタルテレビとカラオケ楽曲データ再生装置を別々の操作体系に基づき操作しなければならなかった不便を解決するための技術である。
【０００６】
携帯電話、デジタルテレビは、インターネットへの接続を行う通信手段、着メロや警告音などの楽曲の再生手段、液晶ディスプレイやブラウン管による文字・画像の表示手段およびダイヤルボタンやリモコンによる操作手段を備えている。操作手段にて指定された楽曲に対するカラオケ楽曲データを、通信手段にてカラオケサービスプロバイダからダウンロードし、再生手段にて再生するとともに対応する歌詞および画像を表示手段に表示することで、なんらの外部機器を必要とせず単体でカラオケを楽しむことが可能となる。
【特許文献１】特開２００２−２４４６８１号公報
【発明の開示】
【発明が解決しようとする課題】
【０００７】
しかしながら、携帯通信端末では、搭載する画面サイズを小さくし、スピーカーをコンパクトにすることで携帯性を重視する。一方、カラオケは大勢で楽しみたいコンテンツである。しかし、携帯電話の画面をみんなで覗き込んで楽しむことは実質的に無理である。さらに携帯電話は音量も小さくエコーも無いため、カラオケとして十分な楽しみ方を実現できない。
【０００８】
また、デジタルテレビに対しインターネット接続機能をテレビに付加する場合、ダイヤルアップあるいはブロードバンドに接続するモデムを搭載することになる。また、通信カラオケをリビングで楽しむためには、家屋内に電話線やＬＡＮの線を曳きまわす必要がある。さらに、通信装置の通信サービスと通信カラオケサービスはサービス業者が別々であり、ユーザは通信装置の通信サービス契約と通信カラオケサービスの契約を併せて結ぶ必要がある。（一方、携帯電話端末では電話契約時の情報を元にコンテンツの決済を行う流れが一般的になっている。）オンラインでの登録も一般的になってきたが、クレジットカード番号がネットワークを流れることについて不安を感じるユーザも多い。
【課題を解決するための手段】
【０００９】
本発明は、携帯通信端末におけるコンテンツ利用の制約と、家電機器においてインターネット接続を実現する場合の機器の追加等によるコストアップおよびコンテンツ利用の手続きの不便を解決するコンテンツ利用システムを提供することを目的とする。
【００１０】
本システムでは、コンテンツサービスプロバイダへの通信機能を有する携帯通信端末から、コンテンツ再生機能を備えるがコンテンツサービスプロバイダへの通信機能を有しないコンテンツ利用装置に対して赤外線等にてコンテンツを転送することで、コンテンツ利用装置で、例えば、最新のカラオケ楽曲をネットワークから取得し再生することを可能とした。
【発明の効果】
【００１１】
本発明においては、携帯通信端末を赤外線通信機能をもつ携帯電話等に適用し、コンテンツ利用装置を赤外線通信機能を持つデジタルテレビ等に適用することで、携帯通信端末とコンテンツ利用装置の組み合わせにより、例えば、デジタルテレビ用に新たにコンテンツ契約を結び別途コンテンツ契約を結び携帯電話での契約と二重に基本料金を支払うといった事をせずに、カラオケを楽しむことができる。また、デジタルテレビに一旦保存したデータを携帯電話に読み出し、さらに別の家電機器に転送してカラオケを楽しむというような利用方法を可能とした。端末、機器の性能に応じた機能分担も可能であり、コンテンツ再生において様々でかつより用途に適した楽しみ方を提供することが可能である。赤外線リモコンの受発光部を活用することで家電機器としてのハードウエアコストを維持したままで、コンテンツサービスプロバイダからデジタルテレビ等のコンテンツ利用装置へのコンテンツの間接的なダウンロードを可能とした。
【発明を実施するための最良の形態】
【００１２】
以下に、本発明の実施の形態を説明する。なお、本発明はこれら実施の形態に何ら限定されるものではなく、その要旨を逸脱しない範囲において種々なる態様で実施しうる。
【００１３】
なお、以下の実施形態と請求項の関係は次の通りである。
【００１４】
実施形態１は、主に請求項１、２、３などについて説明する。
【００１５】
実施形態２は、主に請求項４、５、６などについて説明する。
【００１６】
実施形態３は、主に請求項７、８などについて説明する。
<<実施形態１>>
【００１７】
<実施形態１の概要>
【００１８】
本実施形態は、携帯通信端末とコンテンツ利用装置とからなるコンテンツ利用システムに関するものである。
【００１９】
本実施形態の特徴は、携帯通信端末を所定の手順で操作することにより、一つあるいは複数のデータからなるコンテンツを、携帯通信端末でダウンロードし赤外線等によりコンテンツ利用装置に転送することで、コンテンツを再生することができる点である。また、コンテンツ利用装置はＳＤメモリカード等のブリッジメディアを保持することで、ダウンロードした時点に限らず、その後何度でもコンテンツ再生を行うことができる。また、一度ダウンロードしたデータに対する差分データをダウンロードすることで、既に保有するデータをもとにアップグレードしたデータでコンテンツ再生を行うことができる。あるいは、保存されているデータ同士の組み合わせを変更し、新たな楽しみ方でコンテンツを再生することができる。一度ダウンロードしたデータを利用できることで、ユーザはコンテンツ再生に係る費用や時間を削減できる。さらに、携帯通信端末もブリッジメディアを保持することで、携帯通信端末において受信したコンテンツデータを保持することができ、例えば、それらのデータを複数のコンテンツ利用装置に転送して再生をすることが可能となる。
【００２０】
図１は、本実施形態の概念の一例を示すものである。
【００２１】
本実施形態のコンテンツ利用システムは、携帯通信端末（０１２０）とコンテンツ利用装置（０１３０）とからなる。携帯通信端末（０１２０）は、コンテンツの提供を行うコンテンツサーバ（０１１０）からネットワークを介して、コンテンツのダウンロードを行う。ネットワークにおける通信は有線によっても無線によってもよい。携帯通信端末（０１２０）は、ダウンロードしたコンテンツをコンテンツ利用装置（０１３０）に転送する。コンテンツ利用装置（０１３０）は転送されたコンテンツをブリッジメディアに保存することができる。また、携帯通信端末（０１２０）は、コンテンツサーバ（０１１０）からダウンロードしたコンテンツを直接的にはブリッジメディアに記録できないが、他の機器等から送信されたコンテンツを受信した場合には、受信したコンテンツを直接的にブリッジメディアに記録することができる。
【００２２】
<実施形態１の構成>
【００２３】
本実施形態での機能ブロックの一例を図２、図３、図４に示す。
【００２４】
図２に示すコンテンツ利用システムは、本実施形態において基本的な構成を成すもので、図３、図４に示すコンテンツ利用システムは、図２のコンテンツ利用システムを基本としてさらに新たな機能が加わったものである。
【００２５】
まず、図２に示すコンテンツ利用システムは、「携帯通信端末」（０２１０）と、「コンテンツ利用装置」（０２２０）とからなる。
【００２６】
前記携帯通信端末（０２１０）は、「課金処理部」（０２１１）と、「第一コンテンツ受信部」（０２１２）と、「コンテンツ転送部」（０２１３）と、「ブリッジメディア記録保持部」（０２１４）とからなる。
【００２７】
「課金処理部」（０２１１）は、前記携帯通信端末（０２１０）のコンテンツの受信に応じて課金をするための処理をする機能を有する。現状、携帯電話のような携帯通信端末においては利用に際して基本的には契約が必要であり、契約時に個人情報を登録している。携帯電話契約の基本料金および通話料金の支払いの際にコンテンツの利用料金を一緒に支払える仕組みが一般的に確立されているので、そのような仕組みを利用してもよい。
【００２８】
「第一コンテンツ受信部」（０２１２）は、コンテンツを受信する機能を有する。受信するための通信方法は有線によってもよいし無線によってもよく、通信方法は特には限定されない。さらに無線であっても、例えば、赤外線による通信であったりＢｌｕｅｔｏｏｔｈや８０２．１１に代表されるような無線通信の技術を用いた通信であってもよい。近年においては、これらの無線通信技術は、家電機器間での通信技術としても急速に広まりをみせている。
【００２９】
「コンテンツ転送部」（０２１３）は、前記第一コンテンツ受信部（０２１２）で受信したコンテンツを転送する機能を有する。前記第一コンテンツ受信部（０２１２）同様に、その通信方法は特には限定されない。
【００３０】
「ブリッジメディア記録保持部」（０２１４）は、前記第一コンテンツ受信部（０２１２）で受信したコンテンツを直接的に記録することはできない。つまり、前記コンテンツ利用装置（０２２０）の後述のブリッジメディア保持部（０２２２）においてコンテンツが保存されたブリッジメディアを読み込むのが原則である。しかし、後述の第二コンテンツ受信部で受信したコンテンツを直接的に記録できる機能を有するので、その点が便利である。また、ブリッジメディアとしては、ＳＤメモリカード、メモリスティックなど様々な規格があるが、その種類は特に限定されない。またこれらのような外部メモリでなくとも、ＲＡＭ等の内部的なメモリであってもよい。
【００３１】
また、前記コンテンツ利用装置（０２２０）は、「転送コンテンツ受信部」（０２２１）と、「ブリッジメディア保持部」（０２２２）とからなる。ここで、前記コンテンツ利用装置（０２２０）はコンテンツを利用する装置であり、コンテンツの利用とはコンテンツの再生やプログラムの実行をいう。
【００３２】
「転送コンテンツ受信部」（０２２１）は、前記携帯通信端末（０２１０）から転送されるコンテンツを受信する機能を有する。前記第一コンテンツ受信部（０２１２）同様に、その通信方法は特には限定されない。
【００３３】
「ブリッジメディア保持部」（０２２２）は、前記転送コンテンツ受信部（０２２１）で受信したコンテンツを直接的に記録保持することができる機能を有する。前記ブリッジメディア記録保持部（０２１４）同様に、ブリッジメディアの規格等は特に限定されない。
【００３４】
また、図３に示すコンテンツ利用システムの構成は、図２に示すコンテンツ利用システムの構成に加えて、前記携帯通信端末（０３１０）の前記課金処理部（０３１１）が「課金識別情報保持手段」（０３１５）を有する。
【００３５】
「課金識別情報保持手段」（０３１５）は、前記携帯通信端末（０３１０）の通信契約に関する課金のための識別情報を保持する。実際の識別情報としては、携帯電話であれば機器ＩＤのようなものが振られているのでそれらを利用してもよいし、電話番号等を識別情報として利用してもよい。
【００３６】
さらに、図４に示すコンテンツ利用システムの構成は、図３に示すコンテンツ利用システムの構成に加えて、前記携帯通信端末（０４１０）は「第二コンテンツ受信部」（０４１６）を有する。
【００３７】
「第二コンテンツ受信部」（０４１６）は、コンテンツを受信する機能を有する。前記第一コンテンツ受信部（０４１２）同様に、その通信方法は特には限定されない。第二コンテンツ受信部（０４１６）によって受信したコンテンツは前記ブリッジメディア記録保持部（０４１４）に直接的に記録することができる。
【００３８】
以上の図２、図３、図４の構成において、前記携帯通信端末の前記転送部と前記第一コンテンツ受信部とは、この携帯通信端末に対して外部から通信などにより取得したプログラムあるいはコンテンツによって実現される場合がある。この場合には、このプログラムあるいはコンテンツは、前記ブリッジメディア記録部を認識できない場合があり、前記コンテンツ利用装置にてブリッジメディアに記録し、前記携帯通信端末にて利用可能とする点に意義がある。また、前記転送部、前記第一コンテンツ受信部は、いわゆる組み込みプログラムによって実現される場合がある。一方、前記第一コンテンツ受信部で受信するコンテンツが複合的なものであって、一体的に取り扱われるコンテンツが複数のサブコンテンツを含む場合がある。このような場合には政策的な理由により、サブコンテンツの一部が有している属性によりブリッジメディア記録部に対する記録を不可能とする構成となる場合がある。前記属性はいわゆるフラグ（サブコンテンツ）として実現されているものであってもよい。
【００３９】
<実施形態１の具体例>
【００４０】
本実施形態の具体例を挙げて説明する。図５、図６、図７に具体例の一例を示す。
【００４１】
図５に示すコンテンツ利用システムは、本実施形態において基本的な構成を成すもので、図６、図７に示すコンテンツ利用システムは、図５のコンテンツ利用システムを基本としてさらに新たな機能が加わったものである。
【００４２】
まず、図５について詳述する。携帯通信端末（０５１０）は第一コンテンツ受信部（０５１２）によって、例えば、コンテンツ"らいおんハート"をダウンロードしたとする。課金処理部（０５１１）では、ダウンロードしたコンテンツ"らいおんハート"によって課金のための処理が行われ、例えば、"ダウンロード料金１０００円をコンテンツサービスプロバイダ契約の銀行口座から引き落とし"というような電文を送信する処理がされる。また、第一コンテンツ受信部（０５１２）で受信したコンテンツは直接的にはブリッジメディア記録保持部（０５１４）に保存することはできない。第一コンテンツ受信部（０５１２）によりダウンロードされたコンテンツ"らいおんハート"は、コンテンツ転送部（０５１３）により外部へ転送される。転送先は必ずしもコンテンツ利用装置（０５２０）でなくともよいが、ここではコンテンツ利用装置（０５２０）に転送されたとする。コンテンツ利用装置（０５２０）では、転送コンテンツ受信部（０５２１）によって携帯通信端末（０５１０）のコンテンツ転送部（０５１３）から転送されたコンテンツである"らいおんハート"を受信する。その後、ブリッジメディア保持部（０５２２）によってコンテンツ"らいおんハート"が記録される。また、受信されたコンテンツはコンテンツ利用装置（０５２０）によって再生等して利用される。
【００４３】
また、図６に示すコンテンツ利用システムと図５に示すコンテンツ利用システムとの相違点は、携帯通信端末（０６１０）の課金処理部（０６１１）が課金識別情報保持手段（０６１５）を有しており、それにより課金処理部（０６１１）の処理の仕方が異なる点であるので、この点に関して詳述する。
【００４４】
課金処理部（０６１１）では、課金識別情報保持手段（０６１５）に課金のための識別情報、例えば、"Ａ２０３４５"という識別情報を保持しているとすると、この識別情報とダウンロードしたコンテンツ"らいおんハート"によって課金のための処理が行われ、例えば、"携帯端末Ａ２０３４５ダウンロード料金１０００円をコンテンツサービスプロバイダ契約の銀行口座から引き落とし"というような電文を送信する処理がされる。
【００４５】
さらに、図７に示すコンテンツ利用システムと図６に示すコンテンツ利用システムとの相違点は、携帯通信端末（０７１０）が第二コンテンツ受信部（０７１６）を有している点であるので、第二コンテンツ受信部（０７１６）が関係する処理に関して詳述する。
【００４６】
携帯通信端末（０７１０）は第二コンテンツ受信部（０７１６）により別にコンテンツを受信することができるので、例えば、第二コンテンツ受信部（０７１６）でコンテンツ"ＬＯＶＥマシーン"を受信したとすると、受信されたコンテンツ"ＬＯＶＥマシーン"はブリッジメディア記録保持部（０７１４）においてブリッジメディアに記録し保持される。
【００４７】
<実施形態１の処理の流れ>
【００４８】
図８は、実施形態１での処理の流れの一例を示したものである。本実施形態における処理は、以下に示すステップよりなる。
【００４９】
最初に、コンテンツのダウンロードを行う（コンテンツダウンロードステップ  Ｓ０８１０）。
【００５０】
次に、前記コンテンツダウンロードステップ（Ｓ０８１０）においてダウンロードされたコンテンツによって課金をするための処理を行う（課金処理ステップ  Ｓ０８２０）。
【００５１】
次に、前記コンテンツダウンロードステップ（Ｓ０８１０）においてダウンロードされたコンテンツを転送する（コンテンツ転送ステップ  Ｓ０８３０）。
【００５２】
ここで、前記課金処理ステップ（Ｓ０８２０）とコンテンツ転送ステップ（Ｓ０８３０）の順番は逆でもよい。以上までのステップは携帯通信端末における処理であり、以降のステップはコンテンツ利用装置における処理である。
【００５３】
次に、前記コンテンツ転送ステップ（Ｓ０８３０）において転送されたコンテンツを受信する（転送コンテンツ受信ステップ  Ｓ０８４０）。
【００５４】
最後に、前記転送コンテンツ受信ステップ（Ｓ０８４０）において受信したコンテンツをブリッジメディアに記録する（ブリッジメディア記録ステップ  Ｓ０８５０）。また、この後コンテンツ利用装置においてコンテンツの利用が行われてもよい。
【００５５】
また、携帯通信端末が前記第二コンテンツ受信部と前記ブリッジメディア記録保持部を持つ場合には、コンテンツ利用装置における処理である前記転送コンテンツ受信ステップ（Ｓ０８４０）と前記ブリッジメディア記録ステップ（Ｓ０８５０）と同様に、コンテンツを受信し、受信したコンテンツをブリッジメディアに記録することができる。
【００５６】
<実施形態１の効果>
【００５７】
以上のように、本実施形態のコンテンツ利用システムによれば、一つあるいは複数のデータからなるコンテンツを携帯通信端末でダウンロードし赤外線等によりコンテンツ利用装置に転送することで、コンテンツを利用することができる。また、携帯通信端末において受信したコンテンツをブリッジメディアに直接的には記録できない場合でも、コンテンツ利用装置のブリッジメディアを介してコンテンツの利用をすることができる。
<<実施形態２>>
【００５８】
<実施形態２の概要>
【００５９】
本実施形態は、携帯通信端末と電子機器とからなるコンテンツ利用システムに関するものである。
【００６０】
本実施形態の特徴は、携帯通信端末を所定の手順で操作することにより、一つあるいは複数のデータからなるコンテンツを、携帯通信端末でダウンロードし赤外線等により電子機器に転送し、さらに転送されたコンテンツを携帯通信端末に再転送することで、携帯通信端末において受信したコンテンツを記録することができる。さらに、例えば、それらのデータを複数の機器に転送して再生をすることも可能である。
【００６１】
図９は、本実施形態の概念の一例を示すものである。
【００６２】
本実施形態のコンテンツ利用システムは、携帯通信端末（０９２０）と電子機器（０９３０）とからなる。携帯通信端末（０９２０）は、コンテンツの提供を行うコンテンツサーバ（０９１０）からネットワークを介して、コンテンツのダウンロードを行う。ネットワークにおける通信は有線によっても無線によってもよい。携帯通信端末（０９２０）と、電子機器（０９３０）は送信と受信の機能を備えており、他の機器を介し又は介さないで相互に通信を行うこともできる。つまり、コンテンツデータおよび制御データを赤外線にて送受信する赤外線通信機能を備え、携帯通信端末（０９２０）と電子機器（０９３０）が相互にデータおよび制御情報の交換を行えることを特徴とする。また、携帯通信端末（０９２０）は、コンテンツサーバ（０９１０）からダウンロードしたコンテンツを直接的にはブリッジメディアに記録できないが、他の機器等から送信されたコンテンツを受信した場合には、受信したコンテンツを直接的にブリッジメディアに記録することができる。
【００６３】
<実施形態２の構成>
【００６４】
本実施形態での機能ブロックの一例を図１０、図１２に示す。
【００６５】
図１０に示すコンテンツ利用システムは、本実施形態において基本的な構成を成すもので、図１２に示すコンテンツ利用システムは、図１０のコンテンツ利用システムを基本としてさらに新たな機能が加わったものである。
【００６６】
図１０に示す本実施形態のコンテンツ利用システムは、「携帯通信端末」（１０１０）と、「電子機器」（１０２０）とからなる。
【００６７】
前記携帯通信端末（１０１０）は、「課金処理部」（１０１１）と、「コンテンツ受信部」（１０１２）と、「コンテンツ転送部」（１０１３）と、「第２ブリッジメディア保持部」（１０１４）と、「再転送コンテンツ受信部」（１０１５）とからなる。ここで、前記コンテンツ転送部（１０１３）は実施形態１と機能は同様である。前記コンテンツ転送部（１０１３）の転送先としては、主に前記電子機器（１０２０）が考えられる。また、前記コンテンツ受信部（１０１２）と、前記第２ブリッジメディア保持部（１０１４）と、前記再転送コンテンツ受信部（１０１５）は、それぞれ実施形態１の前記第一コンテンツ受信部、前記ブリッジメディア記録保持部、前記第二コンテンツ受信部と機能は同様である。ただし、前記再転送コンテンツ受信部（１０１５）は前記コンテンツ転送部（１０１３）から転送されたコンテンツを受信するところが実施形態１の前記第二コンテンツ受信部と異なる。
【００６８】
また、前記電子機器（１０２０）は、「転送コンテンツ受信部」（１０２１）と、「転送コンテンツ再転送部」（１０２２）とからなる。前記転送コンテンツ受信部（１０２１）は実施形態１と機能は同様である。前記電子機器（１０２０）の機能としては、受信したコンテンツをそのまま外部に再転送することである。再転送先としては、主に、前記携帯通信端末（１０１０）が考えられる。
【００６９】
「転送コンテンツ再転送部」（１０２２）は、前記転送コンテンツ受信部（１０２１）で受信したコンテンツを再転送する機能を有する。転送コンテンツ再転送部（１０２２）は、電子機器に設けられたブリッジメディアを利用して行ってもよい。
【００７０】
また、図１２に示すコンテンツ利用システムの構成は、図１２に示すコンテンツ利用システムの構成に加えて、前記携帯通信端末（１２１０）の前記課金処理部（１２１１）が「課金識別情報保持手段」（１２１６）を有する。前記課金識別情報保持手段（１２１６）は実施形態１と機能は同様である。
【００７１】
さらに、図１１、図１３にあるように前記電子機器はメモリを有している構成だと便利である。たとえば、転送コンテンツ受信部で受信したコンテンツを一時的にメモリに保持して、後に転送コンテンツ再転送部から再転送できる構成を実現できるからである。
【００７２】
<実施形態２の具体例>
【００７３】
本実施形態の具体例を挙げて説明する。図１４、図１６に具体例の一例を示す。
【００７４】
図１４に示すコンテンツ利用システムは、本実施形態において基本的な構成を成すもので、図１６に示すコンテンツ利用システムは、図１４のコンテンツ利用システムを基本としてさらに新たな機能が加わったものである。
【００７５】
まず、図１４について詳述する。携帯通信端末（１４１０）はコンテンツ受信部（１４１２）によって、例えば、コンテンツ"らいおんハート"をダウンロードしたとする。課金処理部（１４１１）では、ダウンロードしたコンテンツ"らいおんハート"によって課金のための処理が行われ、例えば、"ダウンロード料金１０００円をコンテンツサービスプロバイダ契約の銀行口座から引き落とし"というような電文を送信する処理がされる。また、コンテンツ受信部（１４１２）で受信したコンテンツは直接的には第２ブリッジメディア記録保持部（１４１４）に保存することはできない。コンテンツ受信部（１４１２）によりダウンロードされたコンテンツ"らいおんハート"は、コンテンツ転送部（１４１３）により外部へ転送される。転送先は必ずしも電子機器（１４２０）でなくともよいが、ここでは電子機器（１４２０）に転送されたとする。電子機器（１４２０）では、転送コンテンツ受信部（１４２１）によって携帯通信端末（１４１０）のコンテンツ転送部（１４１３）から転送されたコンテンツである"らいおんハート"を受信する。その後、転送コンテンツ再転送部（１４２２）によってコンテンツ"らいおんハート"が転送される。転送先は必ずしも携帯通信端末（１４１０）でなくともよいが、ここでは転送先は携帯通信端末（１４１０）であるとする。
【００７６】
携帯通信端末（１４１０）は再転送コンテンツ受信部（１４１５）により自身のコンテンツ転送部（１４１３）から転送し再転送されてくるコンテンツを受信することができるので、再転送コンテンツ受信部（１４１５）ではコンテンツ"らいおんハート"を受信する。受信したコンテンツ"らいおんハート"はブリッジメディア保持部（１４１４）においてブリッジメディアに記録し保持される。
【００７７】
また、図１６に示すコンテンツ利用システムと図１４に示すコンテンツ利用システムとの相違点は、携帯通信端末（１６１０）の課金処理部（１６１１）が課金識別情報保持手段（１６１６）を有しており、それにより課金処理部（１６１１）の処理の仕方が異なる点であるので、この点に関して詳述する。
【００７８】
課金処理部（１６１１）では、課金識別情報保持手段（１６１６）に課金のための識別情報、例えば、"Ａ２０３４５"という識別情報を保持しているとすると、この識別情報とダウンロードしたコンテンツ"らいおんハート"によって課金のための処理が行われ、例えば、"携帯端末Ａ２０３４５ダウンロード料金１０００円をコンテンツサービスプロバイダ契約の銀行口座から引き落とし"というような電文を送信する処理がされる。
【００７９】
さらに、図１５、図１７は前記電子機器がメモリを有している構成の場合である。この場合は、前記転送コンテンツ受信部において受信したコンテンツ"らいおんハート"を、メモリに保存してから前記転送コンテンツ再転送部によって転送する。
【００８０】
<実施形態２の処理の流れ>
【００８１】
図１８は、実施形態２での処理の流れの一例を示したものである。本実施形態における処理は、以下に示すステップよりなる。
【００８２】
最初に、コンテンツのダウンロードを行う（コンテンツダウンロードステップ  Ｓ１８１０）。
【００８３】
次に、前記コンテンツダウンロードステップ（Ｓ１８１０）においてダウンロードされたコンテンツによって課金をするための処理を行う（課金処理ステップ  Ｓ１８２０）。
【００８４】
次に、前記コンテンツダウンロードステップ（Ｓ１８１０）においてダウンロードされたコンテンツを転送する（コンテンツ転送ステップ  Ｓ１８３０）。
【００８５】
ここで、前記課金処理ステップ（Ｓ１８２０）とコンテンツ転送ステップ（Ｓ１８３０）の順番は逆でもよい。
【００８６】
次に、前記コンテンツ転送ステップ（Ｓ１８３０）において転送されたコンテンツを受信する（転送コンテンツ受信ステップ  Ｓ１８４０）。
【００８７】
次に、前記転送コンテンツ受信ステップ（Ｓ１８４０）において受信したコンテンツを再転送する（転送コンテンツ再転送ステップ  Ｓ１８５０）。
【００８８】
次に、前記転送コンテンツ再転送ステップ（Ｓ１８５０）において再転送されたコンテンツを受信する（再転送コンテンツ受信ステップ  Ｓ１８６０）。
【００８９】
最後に、前記再転送コンテンツ受信ステップ（Ｓ１８６０）において受信された再転送コンテンツをブリッジメディアに記録する（ブリッジメディア記録ステップ  Ｓ１８７０）。
【００９０】
以上のステップにおいて、ステップＳ１８１０からステップＳ１８３０までとステップＳ１８６０とステップＳ１８７０は携帯通信端末における処理であり、ステップＳ１８４０とステップＳ１８５０はコンテンツ利用装置における処理である。
【００９１】
さらに、図１９は電子機器がメモリを有している場合の処理の流れである。図１８との相違点は前記転送コンテンツ受信ステップ（Ｓ１９４０）と前記転送コンテンツ再転送ステップ（Ｓ１９６０）との間にメモリへのバッファリングが行われる（バッファリングステップ  Ｓ１９５０）。
【００９２】
<実施形態２の効果>
【００９３】
以上のように、本実施形態のコンテンツ利用システムによれば、一つあるいは複数のデータからなるコンテンツを、携帯通信端末でダウンロードし赤外線等により電子機器に転送し、さらに転送されたコンテンツを携帯通信端末に再転送することで、携帯通信端末において受信したコンテンツを記録することができる。つまり、携帯通信端末においてダウンロードしたコンテンツを直接的にブリッジメディアに記録できなくとも、電子機器から再転送されてくることで記録することができる。さらに、例えば、それらのデータを複数の機器に転送して再生をすることも可能である。
<<実施形態３>>
【００９４】
<実施形態３の概要>
【００９５】
本実施形態は、携帯通信端末と電子機器とコンテンツ利用装置とからなるコンテンツ利用システムに関するものである。
【００９６】
本実施形態の特徴は、携帯通信端末を所定の手順で操作することにより、一つあるいは複数のデータからなるコンテンツを、携帯通信端末でダウンロードし赤外線等により電子機器に転送することができる。また、電子機器はブリッジメディアを保持することで、受信したコンテンツデータを保持することができる。つまり、携帯通信端末においてコンテンツをブリッジメディアに記録する手段を持たない場合でも、電子機器に転送することで電子機器においてブリッジメディアに記録することができる。さらに、例えば、それらのデータを複数のコンテンツ利用装置に転送して再生をすることも可能であるし、コンテンツ利用装置もブリッジメディアを保持することができるので、例えば、電子機器においてブリッジメディアに記録されたコンテンツデータを、コンテンツ利用装置でブリッジメディアから読み込むことでコンテンツデータを利用することができる。
【００９７】
図２０は、本実施形態の概念の一例を示すものである。
【００９８】
本実施形態のコンテンツ利用システムは、携帯通信端末（２０２０）と電子機器（２０３０）とコンテンツ利用装置（２０４０）とからなる。携帯通信端末（２０２０）は、コンテンツの提供を行うコンテンツサーバ（２０１０）からネットワークを介して、コンテンツのダウンロードを行う。ネットワークにおける通信は有線によっても無線によってもよい。携帯通信端末（２０２０）は、ダウンロードしたコンテンツを電子機器（２０３０）に転送する。電子機器（２０３０）は転送されたコンテンツをブリッジメディアに記録することができる。また、コンテンツ利用装置（２０４０）は電子機器（２０３０）においてコンテンツが保持されたブリッジメディアを保持することで、コンテンツを利用することができる。
【００９９】
<実施形態３の構成>
【０１００】
本実施形態での機能ブロックの一例を図２１、図２２に示す。
【０１０１】
図２１に示すコンテンツ利用システムは、本実施形態において基本的な構成を成すもので、図２２に示すコンテンツ利用システムは、図２１のコンテンツ利用システムを基本としてさらに新たな機能が加わったものである。
【０１０２】
図２１に示す本実施形態のコンテンツ利用システムは、「携帯通信端末」（２１１０）と、「電子機器」（２１２０）と、「コンテンツ利用装置」（２１３０）とからなる。
【０１０３】
前記携帯通信端末（２１１０）は、「課金処理部」（２１１１）と、「コンテンツ受信部」（２１１２）と、「コンテンツ転送部」（２１１３）とからなる。これらの構成は実施形態２と機能は同様である。
【０１０４】
また、前記電子機器（２１２０）は、「転送コンテンツ受信部」（２１２１）と、「第３ブリッジメディア記録保持部」（２１２２）とからなる。これらの構成は実施形態１と機能は同様である。
【０１０５】
また、前記コンテンツ利用装置（２１３０）は、「利用ブリッジメディア保持部」（２１３１）と、「コンテンツ利用部」（２１３２）とからなる。
【０１０６】
「利用ブリッジメディア保持部」（２１３１）は、前記電子機器（２１２０）の前記第３ブリッジメディア記録保持部（２１２２）にて記録されたコンテンツを保持したブリッジメディアを保持する機能を有する。この機能により、すでにブリッジメディアに記録されているコンテンツを後述のコンテンツ利用部にて利用することができる。つまり、前記電子機器（２１２０）においては直接コンテンツの利用は行わない。
【０１０７】
「コンテンツ利用部」（２１３２）は、前記利用ブリッジメディア保持部（２１３１）にて保持されたブリッジメディアに保持されているコンテンツを利用する機能を有する。利用方法は特に限定されないが、主にコンテンツを再生することが考えられる。
【０１０８】
また、図２２に示すコンテンツ利用システムの構成は、図２１に示すコンテンツ利用システムの構成に加えて、前記携帯通信端末（２２１０）の前記課金処理部（２２１１）が「課金識別情報保持手段」（２２１４）を有する。前記課金識別情報保持手段（２２１４）は実施形態２と機能は同様である。
【０１０９】
さらに、図２１、図２２の構成において前記電子機器は適宜メモリを有している構成であってもよい。つまり、前記転送コンテンツ受信部と前記第３ブリッジメディア記録保持部との間にメモリを有し、受信したコンテンツを一旦メモリにバッファリングしてからブリッジメディアに記録してもよい。
【０１１０】
<実施形態３の具体例>
【０１１１】
本実施形態の具体例を挙げて説明する。図２３、図２４に具体例の一例を示す。
【０１１２】
図２３に示すコンテンツ利用システムは、本実施形態において基本的な構成を成すもので、図２４に示すコンテンツ利用システムは、図２３のコンテンツ利用システムを基本としてさらに新たな機能が加わったものである。
【０１１３】
まず、図２３について詳述する。携帯通信端末（２３１０）はコンテンツ受信部（２３１２）によって、例えば、コンテンツ"らいおんハート"をダウンロードしたとする。課金処理部（２３１１）では、ダウンロードしたコンテンツ"らいおんハート"によって課金のための処理が行われ、例えば、"携帯端末Ａ２０３４５ダウンロード料金１０００円をコンテンツサービスプロバイダ契約の銀行口座から引き落とし"というような電文を送信する処理がされる。また、コンテンツ受信部（２３１２）によりダウンロードされたコンテンツ"らいおんハート"は、コンテンツ転送部（２３１３）により外部へ転送される。転送先は必ずしも電子機器（２３２０）でなくともよいが、ここでは電子機器（２３２０）に転送されたとする。電子機器（２３２０）では、転送コンテンツ受信部（２３２１）によって携帯通信端末（２３１０）のコンテンツ転送部（２３１３）から転送されたコンテンツである"らいおんハート"を受信する。その後、第３ブリッジメディア記録保持部（２３２２）によってコンテンツ"らいおんハート"が記録される。また、コンテンツ"らいおんハート"が記録されたブリッジメディアはコンテンツ利用装置（２３３０）の利用ブリッジメディア保持部（２３３１）によって保持され、記録されているコンテンツ"らいおんハート"はコンテンツ利用部（２３３２）にて再生される等して利用される。
【０１１４】
また、図２４に示すコンテンツ利用システムと図２３に示すコンテンツ利用システムとの相違点は、携帯通信端末（２４１０）の課金処理部（２４１１）が課金識別情報保持手段（２４１４）を有しており、それにより課金処理部（２４１１）の処理の仕方が異なる点であるので、この点に関して詳述する。
【０１１５】
課金処理部（２４１１）では、課金識別情報保持手段（２４１４）に課金のための識別情報、例えば、"Ａ２０３４５"という識別情報を保持しているとすると、この識別情報とダウンロードしたコンテンツ"らいおんハート"によって課金のための処理が行われ、例えば、"携帯端末Ａ２０３４５ダウンロード料金１０００円をコンテンツサービスプロバイダ契約の銀行口座から引き落とし"というような電文を送信する処理がされる。
【０１１６】
<実施形態３の処理の流れ>
【０１１７】
図２５は、実施形態３での処理の流れの一例を示したものである。本実施形態における処理は、以下に示すステップよりなる。
【０１１８】
最初に、コンテンツのダウンロードを行う（コンテンツダウンロードステップ  Ｓ２５１０）。
【０１１９】
次に、前記コンテンツダウンロードステップ（Ｓ２５１０）においてダウンロードされたコンテンツによって課金をするための処理を行う（課金処理ステップ  Ｓ２５２０）。
【０１２０】
次に、前記コンテンツダウンロードステップ（Ｓ２５１０）においてダウンロードされたコンテンツを転送する（コンテンツ転送ステップ  Ｓ２５３０）。
【０１２１】
ここで、前記課金処理ステップ（Ｓ２５２０）とコンテンツ転送ステップ（Ｓ２５３０）の順番は逆でもよい。以上までのステップは携帯通信端末における処理である。
【０１２２】
次に、前記コンテンツ転送ステップ（Ｓ２５３０）において転送されたコンテンツを受信する（転送コンテンツ受信ステップ  Ｓ２５４０）。
【０１２３】
次に、前記転送コンテンツ受信ステップ（Ｓ２５４０）において受信したコンテンツをブリッジメディアに記録する（ブリッジメディア記録ステップ  Ｓ２５５０）。
【０１２４】
以上、ステップＳ２５４０とステップＳ２５５０は電子機器における処理である。
【０１２５】
次に、前記ブリッジメディア記録ステップ（Ｓ２５５０）においてコンテンツが記録されたブリッジメディアをコンテンツ利用装置において保持する（ブリッジメディア保持ステップ  Ｓ２５６０）。
【０１２６】
最後に、前記ブリッジメディア保持ステップ（Ｓ２５６０）において保持されたブリッジメディアに記録されているコンテンツを利用する（コンテンツ利用ステップ  Ｓ２５７０）
【０１２７】
以上、ステップＳ２５６０とステップＳ２５７０はコンテンツ利用装置における処理である。
【０１２８】
<実施形態３の効果>
【０１２９】
以上のように、本実施形態のコンテンツ利用システムによれば、一つあるいは複数のデータからなるコンテンツを、携帯通信端末でダウンロードし赤外線等により電子機器に転送することができる。また、電子機器はブリッジメディアを保持することで、受信したコンテンツデータを保持することができ、例えば、それらのデータを複数の電子機器に転送して再生をすることが可能となる。さらにコンテンツ利用装置もブリッジメディアを保持することができるので、例えば、電子機器においてブリッジメディアに記録されたコンテンツデータを、コンテンツ利用装置でブリッジメディアから読み込むことでコンテンツデータを利用することができる。さらに、本実施形態のコンテンツ利用システムではコンテンツサーバから直接コンテンツをダウンロードするのは携帯通信端末のみであるので、コンテンツを利用する機器ごとにコンテンツ契約をする必要がないことから、コンテンツ契約に関する手間や費用の支払い等を簡素化することができる。
【図面の簡単な説明】
【０１３０】
【図１】実施形態１を説明するための概念図
【図２】実施形態１を説明するための機能ブロック図
【図３】実施形態１を説明するための機能ブロック図
【図４】実施形態１を説明するための機能ブロック図
【図５】実施形態１の具体例
【図６】実施形態１の具体例
【図７】実施形態１の具体例
【図８】実施形態１の処理の流れを説明する図
【図９】実施形態２を説明するための概念図
【図１０】実施形態２を説明するための機能ブロック図
【図１１】実施形態２を説明するための機能ブロック図（メモリ有り）
【図１２】実施形態２を説明するための機能ブロック図
【図１３】実施形態２を説明するための機能ブロック図（メモリ有り）
【図１４】実施形態２の具体例
【図１５】実施形態２の具体例（メモリ有り）
【図１６】実施形態２の具体例
【図１７】実施形態２の具体例（メモリ有り）
【図１８】実施形態２の処理の流れを説明する図
【図１９】実施形態２の処理の流れを説明する図（メモリ有り）
【図２０】実施形態３を説明するための概念図
【図２１】実施形態３を説明するための機能ブロック図
【図２２】実施形態３を説明するための機能ブロック図
【図２３】実施形態３の具体例
【図２４】実施形態３の具体例
【図２５】実施形態３の処理の流れを説明する図
【符号の説明】
【０１３１】
０１１０    コンテンツサーバ
０１２０    携帯通信端末
０１３０    コンテンツ利用装置
【図１】
2004310124.tif 000003
【図２】
2004310124.tif 000004
【図３】
2004310124.tif 000005
【図４】
2004310124.tif 000006
【図５】
2004310124.tif 000007
【図６】
2004310124.tif 000008
【図７】
2004310124.tif 000009
【図８】
2004310124.tif 000010
【図９】
2004310124.tif 000011
【図１０】
2004310124.tif 000012
【図１１】
2004310124.tif 000013
【図１２】
2004310124.tif 000014
【図１３】
2004310124.tif 000015
【図１４】
2004310124.tif 000016
【図１５】
2004310124.tif 000017
【図１６】
2004310124.tif 000018
【図１７】
2004310124.tif 000019
【図１８】
2004310124.tif 000020
【図１９】
2004310124.tif 000021
【図２０】
2004310124.tif 000022
【図２１】
2004310124.tif 000023
【図２２】
2004310124.tif 000024
【図２３】
2004310124.tif 000025
【図２４】
2004310124.tif 000026
【図２５】
2004310124.tif 000027